(57)【要約】      （修正有）【課題】接着剤の使用やリード部の折り曲げといった作業を行うことなく、できるだけ少ない工数で組み立て可能なコイル部品を提供する。【解決手段】コア１０を収容する収容部材３０は、突出部貫通孔３２ａを備えた中空状の２つの突出部３２を有し、収容部材３０を覆う中蓋部材４０は、突出部貫通孔３２ａと対向する位置に設けられた２つの中蓋貫通孔４１を有する。収容部材３０および外蓋部材５０は、それぞれ係止部３４、５３を有する。以上の構成により、収容部材３０にコア１０を収容し、その上面を中蓋部材４０によって覆った後、中蓋貫通孔４１から突出部貫通孔３２ａを介して収容部材３０の底面外側まで巻線部材２０の両脚部２１を貫通させ、更に中蓋部材４０の上面側を外蓋部材５０によって覆い、両部材４０、５０を係止部３４、５３によって係止させるだけで、コイル部品の組み立てを行うことができる。【選択図】図１
2019140338.tif 000002
【特許請求の範囲】
【請求項１】
中央に貫通孔を有する中空のコアと、
２本の平行な両脚部および当該両脚部の間のブリッジ部から成る導電性の巻線部材と、
上記コアを収容する非導電性の収容部材と、
上記収容部材を上面側から覆う非導電性の中蓋部材と、
上記中蓋部材を上面側から覆う非導電性の外蓋部材とを備え、
上記収容部材は、
底面から突出する中空部材であって、上記コアの貫通孔に挿通される突出部と、
上記巻線部材の両脚部が挿通される脚用貫通孔とを備え、
上記中蓋部材は、上記収容部材を上面側から覆ったときに上記収容部材の上記脚用貫通孔と対向する位置に設けられた中蓋貫通孔を備え、
上記収容部材、上記中蓋部材および上記外蓋部材の少なくとも２つは、部材どうしを係止する係止部を備えることを特徴とするコイル部品。
【請求項２】
上記コアを２つ備え、
上記巻線部材を１つ備え、
上記収容部材は、上記２つのコアを並べて収容するように構成され、当該２つのコアを収容する位置に対応して上記突出部を２つ備え、
上記脚用貫通孔は、上記２つの突出部の内側の中空部である突出部貫通孔により構成されていることを特徴とする請求項１に記載のコイル部品。
【請求項３】
上記収容部材は、上記２つの突出部をそれぞれ中心とする２つの独立したコア収容スペースを備えることを特徴とする請求項２に記載のコイル部品。
【請求項４】
上記コアを１つ備え、
上記巻線部材を１つまたは複数備え、
上記収容部材は、上記突出部を１つ備えるとともに、当該１つの突出部を中心とする１つのコア収容スペースを備え、
上記脚用貫通孔は、上記１つの突出部の内側の中空部である１つまたは複数の突出部貫通孔と、上記コア収容スペースの外側にある１つまたは複数の非突出部貫通孔とにより構成されていることを特徴とする請求項１に記載のコイル部品。
【請求項５】
上記巻線部材は、上記両脚部および上記ブリッジ部がそれぞれ直線状に形成された略コの字形状を有していることを特徴とする請求項１〜４の何れか１項に記載のコイル部品。
【請求項６】
上記巻線部材は、上記収容部材を上面側から覆った上記中蓋部材の上記中蓋貫通孔から上記両脚部を挿入したしたときに、上記収容部材の上記脚用貫通孔を貫通して上記収容部材の下面側に突出する長さに上記両脚部が形成されていることを特徴とする請求項１〜５の何れか１項に記載のコイル部品。
【請求項７】
上記中蓋部材は、上記中蓋貫通孔から上記両脚部が挿入された上記巻線部材の上記ブリッジ部を挟持する挟持部を備えることを特徴とする請求項１〜６の何れか１項に記載のコイル部品。
【請求項８】
上記外蓋部材は、その内側底面に、上記収容部材を上面側から覆った上記中蓋部材の上記中蓋貫通孔から上記両脚部を挿入した状態の上記巻線部材を押圧する押圧用凸部を備えることを特徴とする請求項１〜７の何れか１項に記載のコイル部品。
【請求項９】
上記係止部は、上記収容部材の側面に設けられた第１の係合部と、上記外蓋部材の側面から延設されて上記第１の係合部と係合する第２の係合部とにより構成されることを特徴とする請求項１〜８の何れか１項に記載のコイル部品。
【請求項１０】
上記係止部は、上記収容部材の側面に設けられた第１の係合部と、上記外蓋部材の側面から延設されて上記第１の係合部と係合する第２の係合部とにより構成され、
上記中蓋部材は、上記第２の係合部を挿通させる係止用貫通孔を備えることを特徴とする請求項２または３に記載のコイル部品。
【発明の詳細な説明】
【技術分野】
【０００１】
本発明は、コイル部品に関し、特に、組み立て式のコイル部品に用いて好適なものである。
【背景技術】
【０００２】
従来、組み立て式のコイル部品が知られている（例えば、特許文献１〜４参照）。特許文献１の薄型コイル部品は、複数のプリントコイルを積層した積層コイル基板に磁性コアを組み付けることによって構成される。積層コイル基板には、外部接続用端子が固着されている。具体的には、積層コイル基板を挟んで上下より磁性コアを突き合わせて相互に接着等で一体化するとともに、外部接続用端子を各スルーホール状電極の底面側平面電極部にはんだ付けで接続固着することにより、組上がり状態の薄型コイル部品を得る。
【０００３】
また、特許文献２に記載のコイル部品は、台座およびこの台座から突出する中空のコイル巻装部を有するボビンと、コイル巻装部に巻装されたコイルと、ボビンの台座にインサートされ、コイルの端末と接続される少なくとも一対の端子板と、鍔部およびこの鍔部から突出する軸部を有し、この軸部がコイル巻装部の中空に挿入されたコアと、コイルの周囲および端子板を覆い、ボビンの台座に一体的に結合された封止樹脂とを備えて構成される。ボビンの中空部に設けられたテーパ部に接着剤を塗布することにより、ボビンとコアとが接着固定される。
【０００４】
また、特許文献３に記載の表面実装用コモンモードチョークコイルは、絶縁被覆された平角線材から複数同一円周上に積層巻線した複数個のコイルを備え、その各コイルを、個別に設けた中央磁芯に個々に嵌め込んで相独立させて、板状コアと凹状コアとからなる箱型コアの内部に組み付けることによって構成される。板状コアは、接着剤で凹状コアに接合固定される。
【０００５】
また、特許文献４に記載の空芯コイルは、下面を開口したケースと、巻回部およびリード部からなるコイルと、ケースに取付けられてその開口面を塞ぐ蓋板とを備え、コイルの巻回部をケース内に収納し、２本のリード部を、蓋板の切欠部に通してケースの外に導出し、蓋板の表面に沿って折り曲げて面付け型とすることによって構成される。組み立ては、以下のようにして行う。まず、巻回部がケースの内部に収納され、リード部がケースの外に突出した状態となるように、コイルをケースの中に取り付ける。次いで、リード部が切欠部を通るようにして蓋板をケースの開口面に被せ、ケースの端縁を押し広げて蓋板の突起をケースの孔に嵌め込み、蓋板がケースから外れないように係止する。そして、コイルの２本のリード部を互いに反対方向に折り曲げることにより、面付け型の空芯コイルが完成する。
【先行技術文献】
【特許文献】
【０００６】
【特許文献１】実開平１１−３４００５１号公報
【特許文献２】特開２００９−４６５３号公報
【特許文献３】特開２００７−９３７５７号公報
【特許文献４】実開平５−３１２１０号公報
【発明の概要】
【発明が解決しようとする課題】
【０００７】
上記特許文献１〜４に記載のコイル部品は何れも、簡単な組み立て作業で構成可能とすることを目的として構成されたものである。しかしながら、特許文献１〜３に記載のコイル部品では、組み立て作業の過程で接着剤を使用することが必要であり、その分、工数が増えてしまうという問題があった。
【０００８】
これに対し、特許文献４に記載のコイル部品は、接着剤を使用することなく組み立てることが可能である。すなわち、コイルをケースに収納した状態で蓋板を被せ、蓋板の突起をケースの孔に嵌め込んで係止する構成なので、接着剤の使用は不要である。しかしながら、コイルをケースに入れるだけでは内部での安定性が悪く、ケースの外に導出したリード部の先端を蓋板の表面に沿って折り曲げて固定する必要がある。そのため、この折り曲げ工程に関する工数が増えてしまうという問題があった。
【０００９】
本発明は、このような問題を解決するために成されたものであり、接着剤の使用やリード部の折り曲げといった作業を行うことなく、できるだけ少ない工数で組み立て可能なコイル部品を提供することを目的とする。
【課題を解決するための手段】
【００１０】
上記した課題を解決するために、本発明のコイル部品は、中央に貫通孔を有する中空のコアと、２本の平行な両脚部および当該両脚部の間のブリッジ部から成る巻線部材と、コアを収容する収容部材と、収容部材を上面側から覆う中蓋部材と、中蓋部材を上面側から覆う外蓋部材とを備えて構成される。収容部材は、底面から突出する中空部材であって、コアの貫通孔に挿通される突出部と、巻線部材の両脚部が挿通される脚用貫通孔とを有する。また、中蓋部材は、収容部材を上面側から覆ったときに収容部材の脚用貫通孔と対向する位置に設けられた中蓋貫通孔を有する。また、収容部材、中蓋部材および外蓋部材の少なくとも２つは、部材どうしを係止する係止部を有している。
【発明の効果】
【００１１】
上記のように構成した本発明によれば、以下のようにしてコイル部品の組み立てを行うことが可能である。まず、収容部材の突出部をコアの貫通孔に挿通することによってコアを収容部材に収容し、その上面を中蓋部材によって覆う。このとき、コアは、自身の貫通孔と収容部材の突出部とにより位置決めされ、中蓋部材によって上面側が塞がれる状態となり、収容部材に安定的に収容される。次いで、中蓋部材の上面側から中蓋貫通孔に巻線部材の両脚部を挿入し、収容部材の脚用貫通孔を貫通させることにより、コアの内側に巻線部材の脚部が挿通された状態とする。そして、中蓋部材の上面を外蓋部材によって覆い、係止部によって収容部材、中蓋部材および外蓋部材を係止させて固定する。このように、本発明によれば、接着剤の使用や巻線部材の折り曲げといった作業を行う必要がなく、従来に比べて少ない工数でコイル部品の組み立てを行うことができる。
【図面の簡単な説明】
【００１２】
【図１】本実施形態によるコイル部品の各部材の構成例を示す図である。
【図２】コイル部品の組み立ての手順を示す図である。
【図３】コイル部品の組み立ての手順を示す図である。
【図４】本実施形態によるコイル部品の他の構成例を示す図である。
【図５】本実施形態によるコイル部品の他の構成例を示す図である。
【図６】本実施形態によるコイル部品の他の構成例を示す図である。
【図７】本実施形態によるコイル部品の他の構成例を示す図である。
【発明を実施するための形態】
【００１３】
以下、本発明の一実施形態を図面に基づいて説明する。本実施形態のコイル部品は、複数の部材を組み合わせることによって構成可能な組み立て式のコイル部品である。図１は、本実施形態によるコイル部品の各部材の構成例を示す図である。
【００１４】
図１に示すように、本実施形態のコイル部品は、磁性体から成る２つのコア１０（図１（Ａ））と、導電性の巻線部材２０（図１（Ｂ））と、２つのコア１０を収容する非導電性の収容部材３０（図１（Ｃ））と、収容部材３０を上面側から覆う非導電性の中蓋部材４０（図１（Ｄ））と、中蓋部材４０を上面側から覆う非導電性の外蓋部材５０（図１（Ｅ））とを備えて構成される。
【００１５】
図１（Ａ）において、（Ａ１）はコア１０の上面図、（Ａ２）はコア１０の正面図を示している。コア１０は、中央に貫通孔１１を有する中空の円筒部材である。貫通孔１１は、コア１０の上面から底面までを貫く断面円形の孔である。コア１０の高さ（上面から底面までの長さ）および半径は、構成しようとするコイルの電気的性質を考慮して任意に設計することが可能である。
【００１６】
図１（Ｂ）に示すように、巻線部材２０は、２本の平行な両脚部２１と、当該両脚部２１の間のブリッジ部２２とから成る略コの字形状の導電性部材である。本実施形態の巻線部材２０は、例えば、１本の細長い円柱状導材の２箇所をそれぞれ略９０度の角度で屈曲させることによって構成される。このため、両脚部２１およびブリッジ部２２は何れも、直線状に形成されている。
【００１７】
両脚部２１を直線状に構成しているのは、これを収容部材３０の突出部３２が有する突出部貫通孔３２ａ（請求項１の脚用貫通孔に相当）に挿通するためである。両脚部２１を突出部貫通孔３２ａに挿通可能とするために、両脚部２１の直径は、突出部貫通孔３２ａの直径よりも小さく構成されている。なお、両脚部２１を突出部貫通孔３２ａに挿通したときに、突出部貫通孔３２ａの中で両脚部２１が安定した状態となるように、両脚部２１の直径が突出部貫通孔３２ａの直径よりもわずかに小さくなる程度に構成するのが好ましい。
【００１８】
また、ブリッジ部２２を直線状に構成しているのは、後述するように、収容部材３０を上面側から覆った中蓋部材４０の中蓋貫通孔４１から巻線部材２０の両脚部２１を収容部材３０の底面側に向かって挿通したしたときに、ブリッジ部２２が中蓋部材４０の内側底面に対し、その平面形状に沿った状態で当接するようにするためである。後述するように、中蓋部材４０の内側底面には、ブリッジ部２２を挟持するための挟持部４２が設けられており、ブリッジ部２２を直線状に構成することにより、ブリッジ部２２の挟持を簡単な構成で行いやすくすることができる。
【００１９】
図１（Ｃ）において、（Ｃ１）は収容部材３０の上面図、（Ｃ２）は収容部材３０の正面図を示している。収容部材３０は、底面からそれぞれ上面側に突出する円筒状の中空部材である２つの突出部３２と、２つの突出部３２をそれぞれ中心とする２つの独立したコア収容スペース３３とを備えて構成される。収容部材３０は、例えば樹脂製の非導電性部材である。
【００２０】
突出部３２は、その外径がコア１０の貫通孔１１の直径よりも小さく構成されており、貫通孔１１に挿通されるようになっている。なお、コア１０の貫通孔１１に突出部３２を挿通したときに、突出部３２の外側でコア１０が安定した状態で載置されるように、突出部３２の外径が貫通孔１１の直径よりもわずかに小さくなる程度に構成するのが好ましい。
【００２１】
突出部３２の内側の中空部は、上面から底面までを貫く貫通孔（上述した突出部貫通孔３２ａ）となっており、ここに巻線部材２０の両脚部２１が挿通される。上述した通り、巻線部材２０の両脚部２１を突出部貫通孔３２ａに挿通したときに、突出部貫通孔３２ａの中で両脚部２１が安定した状態となるように、両脚部２１の直径が突出部貫通孔３２ａの直径（突出部３２の内径）よりもわずかに小さくなる程度に構成するのが好ましい。
【００２２】
突出部貫通孔３２ａは、突出部３２（収容部材３０）の上面から底面までを貫く孔である。そのため、巻線部材２０の両脚部２１を突出部貫通孔３２ａに挿通すると、両脚部２１は、突出部貫通孔３２ａを貫通し、収容部材３０の外側底面よりも外側に突出可能となっている。
【００２３】
コア収容スペース３３は、突出部３２が貫通孔１１に挿通された状態でコア１０を収容するためのスペースである。コア収容スペース３３の中央部には断面円形の突出部３２が存在するので、コア収容スペース３３の断面形状はドーナツ形となっている。２つのコア収容スペース３３は、水平方向に並べて設けられている。
【００２４】
コア収容スペース３３の外周面における内径および高さは、コア１０の直径および高さに合わせて構成されている。すなわち、コア収容スペース３３の外周面における内径は、コア１０の直径よりもわずかに大きくなる程度に構成するのが好ましい。また、コア収容スペース３３の高さは、コア１０の高さと略同じ程度とするのが好ましい。コア収容スペース３３の上部は中蓋部材４０の外側底面で覆われるので、コア収容スペース３３を上記のような直径および高さに構成すれば、水平方向にも垂直方向にも殆ど動かない安定した状態でコア１０を収容することができる。
【００２５】
コア収容スペース３３の上部は、段構造３３ａとなっている。すなわち、コア収容スペース３３の外周面を構成する部分の厚みが、段構造３３ａを形成する最上部の所定高さの領域だけわずかに薄くなるように構成されている。段構造３３ａの高さはわずかでよく、例えば１ｍｍ程度とすることが可能である。この段構造３３ａは、収容部材３０の上面を中蓋部材４０で覆う際に、中蓋部材４０の収容部材３０に対する水平方向の載置位置を決めるための位置決め機構として機能するとともに、中蓋部材４０の収容部材３０に対する垂直方向の移動を規制するストッパ機構として機能する。
【００２６】
２つのコア収容スペース３３の間には、収容部材３０の底面から上方に立設した横架部３５が構成され、その横架部３５の正面側および背面側の両側面に第１の係合部３４が設けられている。横架部３５の正面側および背面側の側面は、収容部材３０の底面における正面側および背面側の最外面（２つのコア収容スペース３３の間を接続する仮想的な接線）よりも若干内側寄りの位置となるように構成されている。そのため、正面側および背面側の第１の係合部３４も、収容部材３０の底面における正面側および背面側の最外面よりも若干内側寄りの位置に設けられている。第１の係合部３４は、後述する外蓋部材５０が備える第２の係合部５３と係合することによって、収容部材３０および外蓋部材５０どうしを係止するための係止部に相当するものである。
【００２７】
図１（Ｃ３）は、第１の係合部３４および横架部３５の構成を矢印Ｙの方向から見た状態で示す図である。第１の係合部３４は、横架部３５の側面から正面側および背面側にそれぞれ突出する突起状部材である。第１の係合部３４は、その上側の面が上方から下方に向かって傾斜するテーパ面となっている一方、下側の面が略水平に切り出された構成となっている。
【００２８】
図１（Ｄ）において、（Ｄ１）は中蓋部材４０の上面図、（Ｄ２）は中蓋部材４０の正面図、（Ｄ３）は中蓋部材４０の底面図を示している。中蓋部材４０は、例えば樹脂製の非導電性部材である。中蓋部材４０は、収容部材３０を上面側から覆ったときに収容部材３０の２つの突出部貫通孔３２ａと対向する位置に設けられた２つの中蓋貫通孔４１を備えている。
【００２９】
この中蓋貫通孔４１には、巻線部材２０の両脚部２１が挿通される。中蓋貫通孔４１を貫通した両脚部２１は、上述したように、収容部材３０の突出部貫通孔３２ａを更に貫通し、収容部材３０の外側底面よりも外側に突出可能となっている。すなわち、巻線部材２０は、収容部材３０を上面側から覆った中蓋部材４０の中蓋貫通孔４１から両脚部２１を挿入したしたときに、収容部材３０の突出部貫通孔３２ａを貫通して収容部材３０の下面側に突出する長さに両脚部２１が形成されている。
【００３０】
収容部材３０の下面から外側に突出した両脚部２１の先端は、例えばプリント配線基板に半田付けされる。よって、巻線部材２０の両脚部２１の長さは、収容部材３０の下面から外側に突出する部分の長さが半田付けに好適な長さとなるように設計すればよい。
【００３１】
上述したように、中蓋部材４０の内側底面には、中蓋貫通孔４１から両脚部２１が挿入された巻線部材２０のブリッジ部２２を挟持する挟持部４２が設けられている。挟持部４２は、例えば、中蓋部材４０の内側底面から垂直方向に立設された２つの平行な可撓性部材により構成される。２つの可撓性部材の間隔は、ブリッジ部２２の直径よりも若干狭くなる程度に構成されている。これにより、ブリッジ部２２が上方から挟持部４２に押し込められると、２つの可撓性部材が押し広げられ、元に戻ろうとする反力によってブリッジ部２２が挟持される。
【００３２】
また、中蓋部材４０は、後述する外蓋部材５０が備える第２の係合部５３を挿通させる係止用貫通孔４３を更に備えている。この係止用貫通孔４３は、中蓋部材４０によって収容部材３０を上面側から覆ったときに第１の係合部３４と対向する位置に設けられている。これにより、第２の係合部５３が係止用貫通孔４３を貫通して、第１の係合部３４と係合するように構成されている。
【００３３】
中蓋部材４０の外側底面は、その外周面に沿って敷居構造４４となっている。すなわち、中蓋部材４０の外側底面の最外殻部分に、その周面に沿って下方に立設した敷居構造４４が設けられている。敷居構造４４の高さおよび厚みは、収容部材３０の最上部に有する段構造３３ａの高さおよび厚みと略同じとなる程度に構成されている。これにより、中蓋部材４０の敷居構造４４は、収容部材３０の段構造３３ａとちょうど嵌合する形状となっている。
【００３４】
上述したように、段構造３３ａおよび敷居構造４４は、収容部材３０の上面を中蓋部材４０で覆う際に、中蓋部材４０の収容部材３０に対する水平方向の載置位置を決めるための位置決め機構として機能するとともに、中蓋部材４０の収容部材３０に対する垂直方向の移動を規制するストッパ機構として機能する。中蓋部材４０の敷居構造４４と収容部材３０の段構造３３ａとが嵌合した状態において、中蓋部材４０の側壁と、収容部材３０の各コア収容スペース３３の側壁とが段差なく面一で連続した状態となる。
【００３５】
図１（Ｅ）において、（Ｅ１）は外蓋部材５０の上面図、（Ｅ２）は外蓋部材５０の正面図、（Ｅ３）は外蓋部材５０の左側面図（右側面図も同様）を示している。外蓋部材５０は、例えば樹脂製の非導電性部材である。外蓋部材５０は、中蓋部材４０と相似形の外形を有している。外蓋部材５０の外形は中蓋部材４０の外形よりも若干小さく構成されており、外蓋部材５０の側壁を中蓋部材４０の中に収容可能となっている。
【００３６】
外蓋部材５０の底面は段構造５１となっており、外周に沿って側方に向かってわずかに張り出した部位を有している。この段構造５１は、中蓋部材４０の中に外蓋部材５０の側壁を入れた際に、外蓋部材５０の中蓋部材４０に対する垂直方向の移動を規制するストッパ機構として機能する。外蓋部材５０の側壁を中蓋部材４０の中に入れた状態で、外蓋部材５０の底面は、中蓋部材４０の上面を覆い、内部の巻線部材２０を隠すこととなる。
【００３７】
なお、段構造５１における張り出した部位の長さは、中蓋部材４０の側壁の厚みと略同じである。これにより、中蓋部材４０の中に外蓋部材５０の側壁を挿入して外蓋部材５０の底面で中蓋部材４０を覆ったときに、外蓋部材５０の段構造５１の最外面と中蓋部材４０の側壁とが段差なく面一で連続した状態となる。
【００３８】
また、外蓋部材５０は、その内側底面に、収容部材３０を上面側から覆った中蓋部材４０の中蓋貫通孔４１から両脚部２１を挿入した状態の巻線部材２０におけるブリッジ部２２を上方から押圧する押圧用凸部５２を備えている。押圧用凸部５２は、例えば、外蓋部材５０の内側底面から垂直方向に立設した１個または複数個の突起部材により構成される。
【００３９】
この押圧用凸部５２が設けられる位置は、中蓋貫通孔４１に両脚部２１が挿入された状態のブリッジ部２２が位置する場所であればどこでもよいが、挟持部４２と対向する位置に設けるのが好ましい。挟持部４２によりブリッジ部２２を左右方向から挟持し、その上部から押圧用凸部５２によってブリッジ部２２を押圧することにより、ブリッジ部２２をより安定的に保持することができる。
【００４０】
また、外蓋部材５０は、上述した第２の係合部５３を備えている。第２の係合部５３は、外蓋部材５０の側面（具体的には、側壁の最上端）から延設された部材であり、収容部材３０に設けられた第１の係合部３４と係合する。第２の係合部５３は、比較的薄い板状に形成された部材で、可撓性を有している。第２の係合部５３は内側に開口５３ａを有しており、この開口５３ａに第１の係合部３４が係合することによって、第１の係合部３４と第２の係合部５３とが係止状態となる。第１の係合部３４と第２の係合部５３とが係止状態となることにより、収容部材３０と外蓋部材５０とが係止状態となるだけでなく、その間に挟まれた中蓋部材４０も係止状態となる。
【００４１】
次に、以上のように構成した各部材を用いたコイル部品の組み立てについて説明する。図２および図３は、コイル部品の組み立ての手順を示す図である。コイル部品の組み立ては、以下のようにして行う。
【００４２】
まず、図２（Ａ）に示すように、収容部材３０の２つコア収容スペース３３に２つのコア１０を収容する（Ｓ１）。すなわち、収容部材３０の２つの突出部３２を各コア１０の貫通孔１１に挿通することにより、２つのコア１０を収容部材３０に収容する。次いで、コア１０が収容された収容部材３０の上面を中蓋部材４０によって覆う（Ｓ２）。このとき、中蓋部材４０の底面が収容部材３０の方を向くような向きにして、中蓋部材４０によって収容部材３０の上面を覆う。
【００４３】
これにより、収容部材３０の中の２つのコア１０は、自身の貫通孔１１と収容部材３０の突出部３２、および、自身の外形とコア収容スペース３３の外形との関係により水平方向の位置決めがなされ、中蓋部材４０によって上面側が塞がれることによって垂直方向の位置決めがなされた状態となり、収容部材３０のコア収容スペース３３に安定的に収容される。
【００４４】
次に、中蓋部材４０上面側から２つの中蓋貫通孔４１に巻線部材２０の両脚部２１を挿入する（Ｓ３）。そして、収容部材３０の２つの突出部３２の内側の中空部である突出部貫通孔３２ａを両脚部２１が貫通するように、巻線部材２０を下方に押し込む。これにより、コア１０の内側に巻線部材２０の両脚部２１が挿通された状態とし、収容部材３０の底面から外側に巻線部材２０の両脚部２１の端部を突出させる。このとき、巻線部材２０のブリッジ部２２は、中蓋部材４０の内側底面にある挟持部４２によって挟持される。ここまでの組み立てにより、図２（Ｂ）の状態が完成する。
【００４５】
次に、図３（Ａ）に示すように、外蓋部材５０の第２の係合部５３を中蓋部材４０の係止用貫通孔４３に通すようにして、外蓋部材５０の側壁を中蓋部材４０の中に収容し、外蓋部材５０の底面によって中蓋部材４０を上面から覆う。そして、係止用貫通孔４３を挿通した外蓋部材５０の第２の係合部５３と、収容部材３０の側面に設けられた第１の係合部３４とを係合させることにより、外蓋部材５０を収容部材３０に係止させる。
【００４６】
以上の組み立てにより、図３（Ｂ）に示すようなコイル部品の組み立てが完了する。以上のように、本実施形態によれば、接着剤を一切使わずに、また、巻線部材の折り曲げといった作業を行うことなくコイル部品を組み立てることができ、従来に比べて少ない工数で組み立てを行うことができる。
【００４７】
なお、上記実施形態では、中央に断面円形の貫通孔１１を有する中空の円筒部材によりコア１０を構成する例について説明したが、本発明はこれに限定されない。例えば、コア１０を四角筒部材により構成してもよい。また、貫通孔１１の断面形状を四角形としてもよい。その他、コア１０および貫通孔１１の断面形状は、三角形、五角形、六角形などの多角形としてもよい。巻線部材２０の断面形状は、貫通孔１１の断面形状に合わせて構成すればよい。
【００４８】
また、上記実施形態では、巻線部材２０のブリッジ部２２を直線状に構成する例について説明したが、本発明はこれに限定されない。例えば、ブリッジ部２２を湾曲させて構成することにより、巻線部材２０を略Ｕ字形状に構成するようにしてもよい。
【００４９】
また、上記実施形態では、収容部材３０の第１の係合部３４を雄状構造、外蓋部材５０の第２の係合部５３を雌状構造とする例について説明したが、これの逆であってもよい。また、上記実施形態では、中蓋部材４０に係止用貫通孔４３を設け、中蓋部材４０の側壁の内側に第２の係合部５３を通す構成としたが、中蓋部材４０の側壁の外側に第２の係合部５３を通す構成としてもよい。
【００５０】
また、上記実施形態では、中蓋部材４０を挟んで下側の収容部材３０と上側の外蓋部材５０とに係止部（第１の係合部３４および第２の係合部５３）を設ける構成としたが、本発明はこれに限定されない。例えば、収容部材３０と中蓋部材４０との間、および、中蓋部材４０と外蓋部材５０との間のそれぞれに対し、それぞれの部材どうしを係止する係止部を備える構成としてもよい。
【００５１】
また、上記実施形態では、中蓋部材４０の挟持部４２および外蓋部材５０の押圧用凸部５２の両方を設ける構成としたが、何れか一方のみを設ける構成としてもよい。
【００５２】
また、上記実施形態では、コア１０を２つ備える構成について説明したが、本発明はこれに限定されない。例えば、コアを１つのみ備える構成としてもよい。この場合、巻線部材は、１つまたは複数であってよい。この場合、収容部材は、突出部を１つ備え、当該１つの突出部を中心とする１つのコア収容スペースを備える。また、脚用貫通孔は、１つの突出部の内側の中空部である１つまたは複数の突出部貫通孔と、コア収容スペースの外側にある１つまたは複数の非突出部貫通孔とにより構成することが可能である。
【００５３】
例えば、図４は、コアが１つで巻線部材が１つの場合の構成例を示す図である。図５は、コアが１つで巻線部材が２つの場合の構成例を示す図である。図６は、コアが１つで巻線部材が３つの場合の構成例を示す図である。図７は、コアが１つで巻線部材が４つの場合の構成例を示す図である。なお、図４〜図７において示す符号には“Ａ”〜“Ｄ”の英文字が含まれているが、当該英文字を除いた数字が同じ構成要素は、それぞれが対応する構成要素であることを示している。
【００５４】
図４において、（Ａ）はコア１０Ａの斜視図である。図４（Ａ）に示すように、コア１０Ａは、中央に貫通孔１１Ａを有する中空の円筒部材である。（Ｂ）は巻線部材２０Ａの斜視図である。図４（Ｂ）に示すように、巻線部材２０Ａは、２本の平行な両脚部２１Ａと、当該両脚部２１Ａの間のブリッジ部２２Ａとから成る略コの字形状の導電性部材である。
【００５５】
図４（Ｃ）は収容部材３０Ａの構成例を示し、（Ｃ１）は斜視図、（Ｃ２）は上面図、（Ｃ３）は底面図を示している。図４（Ｃ）に示すように、収容部材３０Ａは、突出部３２Ａを１つ備え、当該１つの突出部３２Ａを中心とする１つのコア収容スペース３３Ａを備える。突出部３２Ａは、その外径がコア１０Ａの貫通孔１１Ａの直径よりも小さく構成されており、貫通孔１１Ａに挿通されるようになっている。コア収容スペース３３Ａは、その断面形状はドーナツ形となっており、外周面における内径および高さは、コア１０Ａの直径および高さに合わせて構成されている。収容部材３０Ａの上部は、段構造３３Ａａとなっている。
【００５６】
また、収容部材３０Ａは、巻線部材２０Ａの両脚部２１Ａの貫通させるための脚用貫通孔として、１つの突出部３２Ａの内側の中空部である１つの突出部貫通孔３２Ａａと、コア収容スペース３３Ａの外側にある１つの非突出部貫通孔３１Ａａとを備える。突出部貫通孔３２Ａａおよび非突出部貫通孔３１Ａａは、これらに巻線部材２０Ａの両脚部２１を挿通したときに、各貫通孔３２Ａａ，３１Ａａの中で両脚部２１Ａが安定した状態となるように、両脚部２１Ａの直径が各貫通孔３２Ａａ，３１Ａａの直径よりもわずかに小さくなる程度に構成するのが好ましい。
【００５７】
収容部材３０Ａの正面側および背面側の両側面には、第１の係合部３４Ａが設けられている。第１の係合部３４Ａは、後述する外蓋部材５０Ａが備える第２の係合部５３Ａと係合することによって、収容部材３０Ａおよび外蓋部材５０Ａどうしを係止するための係止部に相当するものである。この第１の係合部３４Ａは、その上側の面が上方から下方に向かって傾斜するテーパ面となっている一方、下側の面が略水平に切り出された構成となっている。
【００５８】
図４（Ｄ）は中蓋部材４０Ａの構成例を示し、（Ｄ１）は斜視図、（Ｄ２）は上面図、（Ｄ３）は底面図を示している。図４（Ｄ）に示すように、中蓋部材４０Ａは、収容部材３０Ａを上面側から覆ったときに収容部材３０Ａの突出部貫通孔３２Ａａおよび非突出部貫通孔３１Ａａと対向する位置に設けられた２つの中蓋貫通孔４１Ａを備えている。この中蓋貫通孔４１Ａには、巻線部材２０Ａの両脚部２１Ａが挿通される。中蓋貫通孔４１Ａを貫通した両脚部２１Ａは、収容部材３０Ａの突出部貫通孔３２Ａａおよび非突出部貫通孔３１Ａａを更に貫通し、収容部材３０Ａの外側底面よりも外側に突出可能となっている。
【００５９】
中蓋部材４０Ａの内側底面には、中蓋貫通孔４１Ａから両脚部２１Ａが挿入された巻線部材２０Ａのブリッジ部２２Ａを挟持するための挟持部４２Ａが設けられている。挟持部４２Ａは、例えば、中蓋部材４０Ａの内側底面から垂直方向に立設された２つの平行な可撓性部材により構成される。挟持部４２Ａは、収容部材３０Ａの突出部貫通孔３２Ａａおよび非突出部貫通孔３１Ａａと対向する位置に設けられた２つの中蓋貫通孔４１Ａの間の位置に設けられている。
【００６０】
中蓋部材４０Ａの外側底面は、その外周面に沿って敷居構造４４Ａとなっている。この敷居構造４４Ａは、収容部材３０Ａの段構造３３Ａａとちょうど嵌合する形状となっている。段構造３３Ａａおよび敷居構造４４Ａは、収容部材３０Ａの上面を中蓋部材４０Ａで覆う際に、中蓋部材４０Ａの収容部材３０Ａに対する水平方向の載置位置を決めるための位置決め機構として機能するとともに、中蓋部材４０Ａの収容部材３０Ａに対する垂直方向の移動を規制するストッパ機構として機能する。
【００６１】
なお、中蓋部材４０Ａは、外蓋部材５０Ａが備える第２の係合部５３Ａを挿通させる係止用貫通孔（図１の係止用貫通孔４３に相当する構成）は備えていない。すなわち、中蓋部材４０Ａの側壁の外側に第２の係合部５３Ａを通す構成としている。また、中蓋部材４０Ａの上部は、段構造４５Ａとなっている。
【００６２】
図４（Ｅ）は外蓋部材５０Ａの構成例を示し、（Ｅ１）は斜視図、（Ｅ２）は上面図、（Ｅ３）は底面図を示している。図４（Ｅ）に示すように、外蓋部材５０Ａは、その外周面に沿って敷居構造５５Ａを有している。この敷居構造５５Ａは、中蓋部材４０Ａの段構造４５Ａとちょうど嵌合する形状となっている。段構造４５Ａおよび敷居構造５５Ａは、中蓋部材４０Ａの上面を外蓋部材５０Ａで覆う際に、外蓋部材５０Ａの中蓋部材４０Ａに対する水平方向の載置位置を決めるための位置決め機構として機能するとともに、外蓋部材５０Ａの中蓋部材４０Ａに対する垂直方向の移動を規制するストッパ機構として機能する。
【００６３】
また、外蓋部材５０Ａは、その内側底面に、収容部材３０Ａを上面側から覆った中蓋部材４０Ａの中蓋貫通孔４１Ａから両脚部２１Ａを挿入した状態の巻線部材２０Ａにおけるブリッジ部２２Ａを上方から押圧する押圧用凸部５２Ａを備えている。押圧用凸部５２Ａは、例えば、外蓋部材５０Ａの内側底面から垂直方向に立設した１個または複数個の突起部材により構成される。この押圧用凸部５２Ａが設けられる位置は、中蓋貫通孔４１Ａに両脚部２１Ａが挿入された状態のブリッジ部２２Ａが位置する場所であればどこでもよいが、挟持部４２Ａと対向する位置に設けるのが好ましい。
【００６４】
また、外蓋部材５０Ａは、上述した第２の係合部５３Ａを備えている。第２の係合部５３Ａは、外蓋部材５０Ａの側面から延設された部材であり、収容部材３０Ａに設けられた第１の係合部３４Ａと係合する。第２の係合部５３Ａは、比較的薄い板状に形成された部材で、可撓性を有している。第２の係合部５３Ａは内側に開口５３Ａａを有しており、この開口５３Ａａに第１の係合部３４Ａが係合することによって、第１の係合部３４Ａと第２の係合部５３Ａとが係止状態となる。
【００６５】
図４（Ｆ）は、コア１０Ａ、巻線部材２０Ａ、収容部材３０Ａおよび中蓋部材４０Ａを組み立てた状態を示す斜視図である。図４（Ｇ）は、図４（Ｆ）の状態から更に外蓋部材５０Ａを組み立ててコイル部品が完成した状態を示す斜視図である。
【００６６】
図５において、（Ａ）はコア１０Ｂの斜視図である。図５（Ａ）に示すように、コア１０Ｂは、中央に貫通孔１１Ｂを有する中空の円筒部材である。なお、貫通孔１１Ｂの直径は、図４（Ａ）に示したコア１０Ａの貫通孔１１Ａの直径より大きい。これは、貫通孔１１Ｂの中に貫通させる突出部３２Ｂ（図５（Ｃ）参照）の直径が、図４（Ｃ）に示した突出部３２Ａの直径よりも大きいからである。突出部３２Ｂの直径が突出部３２Ａの直径よりも大きいのは、図４（Ｃ）の場合は突出部３２Ａの内側に１つの突出部貫通孔３２Ａａのみが備えられるのに対し、図５（Ｃ）の場合は突出部３２Ｂの内側に２つの突出部貫通孔３２Ｂａが備えられるからである。
【００６７】
図５（Ｂ）は巻線部材２０Ｂの斜視図である。図５（Ｂ）に示すように、巻線部材２０Ｂは、２本の平行な両脚部２１Ｂと、当該両脚部２１Ｂの間のブリッジ部２２Ｂとから成る略コの字形状の導電性部材である。図５に示す構成のコイル部品では、この巻線部材２０Ｂを２つ用いる。
【００６８】
図５（Ｃ）は収容部材３０Ｂの構成例を示し、（Ｃ１）は斜視図、（Ｃ２）は上面図、（Ｃ３）は底面図を示している。図５（Ｃ）に示すように、収容部材３０Ｂは、突出部３２Ｂを１つ備え、当該１つの突出部３２Ｂを中心とする１つのコア収容スペース３３Ｂを備える。突出部３２Ｂは、その外径がコア１０Ｂの貫通孔１１Ｂの直径よりも小さく構成されており、貫通孔１１Ｂに挿通されるようになっている。コア収容スペース３３Ｂは、その断面形状はドーナツ形となっており、外周面における内径および高さは、コア１０Ｂの直径および高さに合わせて構成されている。収容部材３０Ｂの上部は、段構造３３Ｂａとなっている。
【００６９】
また、収容部材３０Ｂは、２つの巻線部材２０Ｂの両脚部２１Ｂの貫通させるための脚用貫通孔として、１つの突出部３２Ｂの内側の中空部である２つの突出部貫通孔３２Ｂａと、コア収容スペース３３Ｂの両外側にある２つの非突出部貫通孔３１Ｂａとを備える。２組の突出部貫通孔３２Ｂａおよび非突出部貫通孔３１Ｂａは、これらに２つの巻線部材２０Ｂの両脚部２１Ｂを挿通したときに、各貫通孔３２Ｂａ，３１Ｂａの中で両脚部２１Ｂが安定した状態となるように、両脚部２１Ｂの直径が各貫通孔３２Ｂａ，３１Ｂａの直径よりもわずかに小さくなる程度に構成するのが好ましい。
【００７０】
収容部材３０Ｂの正面側および背面側の両側面には、第１の係合部３４Ｂが設けられている。第１の係合部３４Ｂは、後述する外蓋部材５０Ｂが備える第２の係合部５３Ｂと係合することによって、収容部材３０Ｂおよび外蓋部材５０Ｂどうしを係止するための係止部に相当するものである。この第１の係合部３４Ｂは、その上側の面が上方から下方に向かって傾斜するテーパ面となっている一方、下側の面が略水平に切り出された構成となっている。
【００７１】
図５（Ｄ）は中蓋部材４０Ｂの構成例を示し、（Ｄ１）は斜視図、（Ｄ２）は上面図、（Ｄ３）は底面図を示している。図５（Ｄ）に示すように、中蓋部材４０Ｂは、収容部材３０Ｂを上面側から覆ったときに収容部材３０Ｂの突出部貫通孔３２Ｂａおよび非突出部貫通孔３１Ｂａと対向する位置に設けられた４つの中蓋貫通孔４１Ｂを備えている。この中蓋貫通孔４１Ｂには、２つの巻線部材２０Ｂの両脚部２１Ｂが挿通される。中蓋貫通孔４１Ｂを貫通した両脚部２１Ｂは、収容部材３０Ｂの突出部貫通孔３２Ｂａおよび非突出部貫通孔３１Ｂａを更に貫通し、収容部材３０Ｂの外側底面よりも外側に突出可能となっている。
【００７２】
中蓋部材４０Ｂの内側底面には、中蓋貫通孔４１Ｂから両脚部２１Ｂが挿入された巻線部材２０Ｂのブリッジ部２２Ｂを挟持するための挟持部４２Ｂが設けられている。挟持部４２Ｂは、例えば、中蓋部材４０Ｂの内側底面から垂直方向に立設された２つの平行な可撓性部材により構成される。挟持部４２Ｂは、収容部材３０Ｂの１組の突出部貫通孔３２Ｂａおよび非突出部貫通孔３１Ｂａと対向する位置に設けられた２つの中蓋貫通孔４１Ｂの間の位置と、もう１組の突出部貫通孔３２Ｂａおよび非突出部貫通孔３１Ｂａと対向する位置に設けられた２つの中蓋貫通孔４１Ｂの間の位置とに設けられている。
【００７３】
中蓋部材４０Ｂの外側底面は、その外周面に沿って敷居構造４４Ｂとなっている。この敷居構造４４Ｂは、収容部材３０Ｂの段構造３３Ｂａとちょうど嵌合する形状となっている。段構造３３Ｂａおよび敷居構造４４Ｂは、収容部材３０Ｂの上面を中蓋部材４０Ｂで覆う際に、中蓋部材４０Ｂの収容部材３０Ｂに対する水平方向の載置位置を決めるための位置決め機構として機能するとともに、中蓋部材４０Ｂの収容部材３０Ｂに対する垂直方向の移動を規制するストッパ機構として機能する。
【００７４】
なお、中蓋部材４０Ｂは、外蓋部材５０Ｂが備える第２の係合部５３Ｂを挿通させる係止用貫通孔（図１の係止用貫通孔４３に相当する構成）は備えていない。すなわち、中蓋部材４０Ｂの側壁の外側に第２の係合部５３Ｂを通す構成としている。また、中蓋部材４０Ｂの上部は、段構造４５Ｂとなっている。
【００７５】
図５（Ｅ）は外蓋部材５０Ｂの構成例を示し、（Ｅ１）は斜視図、（Ｅ２）は上面図、（Ｅ３）は底面図を示している。図５（Ｅ）に示すように、外蓋部材５０Ｂは、その外周面に沿って敷居構造５５Ｂを有している。この敷居構造５５Ｂは、中蓋部材４０Ｂの段構造４５Ｂとちょうど嵌合する形状となっている。段構造４５Ｂおよび敷居構造５５Ｂは、中蓋部材４０Ｂの上面を外蓋部材５０Ｂで覆う際に、外蓋部材５０Ｂの中蓋部材４０Ｂに対する水平方向の載置位置を決めるための位置決め機構として機能するとともに、外蓋部材５０Ｂの中蓋部材４０Ｂに対する垂直方向の移動を規制するストッパ機構として機能する。
【００７６】
また、外蓋部材５０Ｂは、その内側底面に、収容部材３０Ｂを上面側から覆った中蓋部材４０Ｂの中蓋貫通孔４１Ｂから両脚部２１Ｂを挿入した状態の巻線部材２０Ｂにおけるブリッジ部２２Ｂを上方から押圧する押圧用凸部５２Ｂを備えている。押圧用凸部５２Ｂは、例えば、外蓋部材５０Ｂの内側底面から垂直方向に立設した１個または複数個の突起部材により構成される。この押圧用凸部５２Ｂが設けられる位置は、中蓋貫通孔４１Ｂに両脚部２１Ｂが挿入された状態のブリッジ部２２Ｂが位置する場所であればどこでもよいが、挟持部４２Ｂと対向する位置に設けるのが好ましい。
【００７７】
また、外蓋部材５０Ｂは、上述した第２の係合部５３Ｂを備えている。第２の係合部５３Ｂは、外蓋部材５０Ｂの側面から延設された部材であり、収容部材３０Ｂに設けられた第１の係合部３４Ｂと係合する。第２の係合部５３Ｂは、比較的薄い板状に形成された部材で、可撓性を有している。第２の係合部５３Ｂは内側に開口５３Ｂａを有しており、この開口５３Ｂａに第１の係合部３４Ｂが係合することによって、第１の係合部３４Ｂと第２の係合部５３Ｂとが係止状態となる。
【００７８】
図５（Ｆ）は、コア１０Ｂ、巻線部材２０Ｂ、収容部材３０Ｂおよび中蓋部材４０Ｂを組み立てた状態を示す斜視図である。図５（Ｇ）は、図５（Ｆ）の状態から更に外蓋部材５０Ｂを組み立ててコイル部品が完成した状態を示す斜視図である。
【００７９】
図６および図７に示すコイル部品は、図５に示すコイル部品と比べて、使用する巻線部材２０Ｃ，２０Ｄの数が異なることに対応して異なる形状および異なる数の各種貫通孔を有するが、基本的な構成は変わらないので、詳細な説明を割愛する。なお、図６および図７では、他にない特徴的な構成として、収容部材３０Ｃ，３０Ｄ、中蓋部材４０Ｃ，４０Ｄおよび外蓋部材５０Ｃ，５０Ｄの形状を挙げることができる。すなわち、収容部材３０Ｃ，３０Ｄは、コア収容スペース３３Ｃ，３３Ｄを中心として放射状に、３つの非突出部貫通孔３２Ｃａまたは４つの非突出部貫通孔３２Ｄａを備えるようにするための形状を有している。中蓋部材４０Ｃ，４０Ｄおよび外蓋部材５０Ｃ，５０Ｄは、収容部材３０Ｃ，３０Ｄの形状に合わせた形状に構成されている。
【００８０】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００８１】
１０，１０Ａ，１０Ｂ，１０Ｃ，１０Ｄ  コア
１１，１１Ａ，１１Ｂ，１１Ｃ，１１Ｄ  貫通孔
２０，２０Ａ，２０Ｂ，２０Ｃ，２０Ｄ  巻線部材
２１，２１Ａ，２１Ｂ，２１Ｃ，２１Ｄ  両脚部
２２，２２Ａ，２２Ｂ，２２Ｃ，２２Ｄ  ブリッジ部
３０，３０Ａ，３０Ｂ，３０Ｃ，３０Ｄ  収容部材
３１Ａａ，３１Ｂａ，３１Ｃａ，３１Ｄａ  非突出部貫通孔（脚用貫通孔）
３２，３２Ａ，３２Ｂ，３２Ｃ，３２Ｄ  突出部
３２ａ，３２Ａａ，３２Ｂａ，３２Ｃａ，３２Ｄａ  突出部貫通孔（脚用貫通孔）
３３，３３Ａ，３３Ｂ，３３Ｃ，３３Ｄ  コア収容スペース
３４，３４Ａ，３４Ｂ，３４Ｃ，３４Ｄ  第１の係合部
３５  横架部
４０，４０Ａ，４０Ｂ，４０Ｃ，４０Ｄ  中蓋部材
４１，４１Ａ，４１Ｂ，４１Ｃ，４１Ｄ  中蓋貫通孔
４２，４２Ａ，４２Ｂ，４２Ｃ，４２Ｄ  挟持部
４３  係止用貫通孔
５０，５０Ａ，５０Ｂ，５０Ｃ，５０Ｄ  外蓋部材
５２，５２Ａ，５２Ｂ，５２Ｃ，５２Ｄ  押圧用凸部
５３，５３Ａ，５３Ｂ，５３Ｃ，５３Ｄ  第２の係合部
【図１】
2019140338.tif 000003
【図２】
2019140338.tif 000004
【図３】
2019140338.tif 000005
【図４】
2019140338.tif 000006
【図５】
2019140338.tif 000007
【図６】
2019140338.tif 000008
【図７】
2019140338.tif 000009